(57)【要約】【課題】高所より安全に降下することができる上、降下避難後は降下用ワイヤーが自動的に高所へと巻き戻る実用性に秀れた簡易構造の高所避難装置を提供すること。【解決手段】装置本体１に、避難者Ｈに継合可能な降下用ワイヤー２を巻装した巻装用ドラム３を回転自在に軸支し、この巻装用ドラム３の回転軸３Ａを昇降移動可能に軸支し、この巻装用ドラム３の回転軸３Ａを上昇方向へ付勢する軸付勢機構４を設け、降下用ワイヤー２に継合した避難者Ｈが降下し巻装用ドラム３に下向きの荷重が加わることで、軸付勢機構４の付勢力に抗し下降移動する巻装用ドラム３の回転軸３Ａが接続可能な抵抗付与機構５を装置本体１に設け、この装置本体１に巻装用ドラム３の巻き戻し付勢機構６を設ける。【選択図】図１
2006341079.tif 000002
【特許請求の範囲】
【請求項１】
建築物の高所に設置可能な装置本体に、避難者に継合可能な降下用ワイヤーを巻き出し自在に巻装した巻装用ドラムを回転自在に軸支すると共に、この巻装用ドラムの回転軸を昇降移動可能に軸支し、この巻装用ドラムの回転軸を上昇方向へ付勢する軸付勢機構を設けて、前記降下用ワイヤーに避難者を継合し降下させることでこの巻装用ドラムに下向きの荷重が加わった際に、この軸付勢機構の付勢力に抗して巻装用ドラムの回転軸が下降移動するように構成し、この巻装用ドラムの回転軸が下降移動した際にこの回転軸と接続する抵抗付与機構を前記装置本体に設けて、前記降下用ワイヤーで避難者が降下中はこの抵抗付与機構により巻装用ドラムの回転軸に回転抵抗が付与されて降下用ワイヤーの巻き出し速度が減速するように構成し、この装置本体に巻装用ドラムの巻き戻し付勢機構を設けて、巻き出された降下用ワイヤーが装置本体へと巻き戻るように構成したことを特徴とする高所避難装置。
【請求項２】
前記巻装用ドラムの回転軸に歯車を設けると共に、前記抵抗付与機構に接続歯車を設け、前記巻装用ドラムの下降移動に伴う回転軸の下降移動により、この回転軸の歯車が抵抗付与機構の接続歯車に噛合接続して、この抵抗付与機構による抵抗が接続歯車，歯車を介して回転軸に伝達付与される構成としたことを特徴とする請求項１記載の高所避難装置。
【請求項３】
前記巻装用ドラムの回転軸が下降移動した際にこの回転軸と接続する前記抵抗付与機構を前記装置本体に複数設けたことを特徴とする請求項１，２のいずれか１項に記載の高所避難装置。
【請求項４】
ゼンマイバネを動力とする前記巻き戻し付勢機構を採用したことを特徴とする請求項１〜３のいずれか１項に記載の高所避難装置。
【発明の詳細な説明】
【技術分野】
【０００１】
本発明は、高所避難装置に関するものである。
【背景技術】
【０００２】
従来から、災害時などに高所より安全に降下することを目的とした様々な高所避難装置が提案されている。
【発明の開示】
【発明が解決しようとする課題】
【０００３】
本発明は、高所より安全に降下することができる上、降下避難後は降下用ワイヤーが自動的に高所へと巻き戻る実用性に秀れた簡易構造の高所避難装置を提供することが技術的課題である。
【課題を解決するための手段】
【０００４】
添付図面を参照して本発明の要旨を説明する。
【０００５】
建築物の高所に設置可能な装置本体１に、避難者Ｈに継合可能な降下用ワイヤー２を巻き出し自在に巻装した巻装用ドラム３を回転自在に軸支すると共に、この巻装用ドラム３の回転軸３Ａを昇降移動可能に軸支し、この巻装用ドラム３の回転軸３Ａを上昇方向へ付勢する軸付勢機構４を設けて、前記降下用ワイヤー２に避難者Ｈを継合し降下させることでこの巻装用ドラム３に下向きの荷重が加わった際に、この軸付勢機構４の付勢力に抗して巻装用ドラム３の回転軸３Ａが下降移動するように構成し、この巻装用ドラム３の回転軸３Ａが下降移動した際にこの回転軸３Ａと接続する抵抗付与機構５を前記装置本体１に設けて、前記降下用ワイヤー２で避難者Ｈが降下中はこの抵抗付与機構５により巻装用ドラム３の回転軸３Ａに回転抵抗が付与されて降下用ワイヤー２の巻き出し速度が減速するように構成し、この装置本体１に巻装用ドラム３の巻き戻し付勢機構６を設けて、巻き出された降下用ワイヤー２が装置本体１へと巻き戻るように構成したことを特徴とする高所避難装置に係るものである。
【０００６】
また、前記巻装用ドラム３の回転軸３Ａに歯車７を設けると共に、前記抵抗付与機構５に接続歯車８を設け、前記巻装用ドラム３の下降移動に伴う回転軸３Ａの下降移動により、この回転軸３Ａの歯車７が抵抗付与機構５の接続歯車８に噛合接続して、この抵抗付与機構５による抵抗が接続歯車８，歯車７を介して回転軸３Ａに伝達付与される構成としたことを特徴とする請求項１記載の高所避難装置に係るものである。
【０００７】
また、前記巻装用ドラム３の回転軸３Ａが下降移動した際にこの回転軸３Ａと接続する前記抵抗付与機構５を前記装置本体１に複数設けたことを特徴とする請求項１，２のいずれか１項に記載の高所避難装置に係るものである。
【０００８】
また、ゼンマイバネ６Ａを動力とする前記巻き戻し付勢機構６を採用したことを特徴とする請求項１〜３のいずれか１項に記載の高所避難装置に係るものである。
【発明の効果】
【０００９】
本発明は上述のように構成したから、高所から安全な速度で降下避難することができる上、巻装用ドラムに降下用ワイヤーの巻き出し回転方向にのみ回転抵抗を付与する機構（抵抗付与機構）を、巻装用ドラムと一体的に設けて構造を複雑化するような構成でなく、巻装用ドラムが避難者の体重によって下降移動することで別体の抵抗付与機構に接続して回転抵抗が付与されるシンプルな構成としたため、この構成は簡易に且つ安価に設計実現可能となり、しかも、巻き戻し付勢機構を設けたことで、降下避難後は降下用ワイヤーが自動的に高所へと巻き戻るので、何人もの避難者が次々と避難する場合であっても、降下避難完了の度に一々降下用ワイヤーを高所へと引き上げる手間がないなど、極めて実用性に秀れた画期的な高所避難装置となる。
【００１０】
また、請求項２記載の発明においては、避難者降下時に安全速度での降下が可能となる構造を簡易に設計実現可能となる一層実用性に秀れた構成の高所避難装置となる。
【００１１】
また、請求項３記載の発明においては、複数の抵抗付与機構により巻装用ドラムに極めて良好な巻き出し抵抗を付与することができるので、避難者降下時に確実に安全速度での降下が可能となる一層実用性に秀れた構成の高所避難装置となる。
【００１２】
また、請求項４記載の発明においては、前記作用・効果を確実に発揮する巻き戻し付勢機構を簡易構成にして容易に設計実現可能となる一層実用性に秀れた構成の高所避難装置となる。
【発明を実施するための最良の形態】
【００１３】
好適と考える本発明の実施形態（発明をどのように実施するか）を、図面に基づいて本発明の作用を示して簡単に説明する。
【００１４】
建築物の高所の適所（例えば、窓際やベランダなどが好ましい。）に装置本体１を設置し、例えば、災害時において、建築物に設備されている通常の脱出ルートが使用不能な場合や、緊急避難を要する場合に、本発明品を使用して降下避難する。
【００１５】
具体的には、避難者Ｈに降下用ワイヤー２を継合して建築物の高所から降下する。
【００１６】
この際、巻装用ドラム３から降下用ワイヤー２が巻き出されると共に、避難者Ｈの体重により巻装用ドラム３に下向きの荷重が加わることで、この巻装用ドラム３を上昇方向に付勢する軸付勢機構４の付勢力に抗して巻装用ドラム３が下降移動し、この巻装用ドラム３の回転軸３Ａも下降移動してこの回転軸３Ａが抵抗付与機構５に接続し、この抵抗付与機構５により巻装用ドラム３の回転軸３Ａに回転抵抗が付与されて降下用ワイヤー２の巻き出し速度が減速する。即ち、避難者Ｈが高速で降下せずに安全な速度で降下することになる。
【００１７】
降下避難後に降下用ワイヤー２を避難者Ｈより継合解除すると、巻き戻し付勢機構６により巻装用ドラム３に巻き戻し付勢力が付与されているので、降下用ワイヤー２が自動的に装置本体１の巻装用ドラム３へと巻き戻る（高所へ自動的に戻る。）。
【００１８】
避難者Ｈが多数の場合には、巻き戻った降下用ワイヤー２を次の避難者Ｈに継合して上記と同様に降下避難し、この作業を繰り返して次々と高所から避難することができる。
【００１９】
従って、高所から安全に降下避難することができる上、降下避難終了後は降下用ワイヤー２が自動的に高所へと巻き戻るので、何人もの避難者Ｈが次々と避難するのに適した高所避難装置となり、しかも、巻装用ドラム３に降下用ワイヤー２を巻き出す巻き出し回転方向にのみ回転抵抗を付与する構成を巻装用ドラム３と一体的に設けて構造を複雑化するような構成でなく、巻装用ドラム３が避難者Ｈの体重によって下降移動することで別体の抵抗付与機構５に接続して回転抵抗が付与されるシンプルな構成のため、この構成は簡易に且つ安価に設計実現可能である。
【実施例１】
【００２０】
本発明の具体的な実施例１について図１〜図５に基づいて説明する。
【００２１】
本実施例は、建築物の高所に設置可能な装置本体１に、避難者Ｈに継合可能な降下用ワイヤー２を巻き出し自在に巻装した巻装用ドラム３を回転自在に軸支している。
【００２２】
具体的には、装置本体１は図１〜図３に示すような方形箱形体に構成し、この装置本体１の内部を二枚の仕切板10・11で仕切ることにより左区画部１Ａと中央区画部１Ｂと右区画部１Ｃの三区画部を形成し、この中央区画部１Ｂ内に前記巻装用ドラム３を収納状態にして軸支している。
【００２３】
更に詳しくは、この中央区画部１Ｂの左右に存する仕切板10・11の夫々に軸受孔10Ａ・11Ａを形成して、この左右の軸受孔10Ａ・11Ａに巻装用ドラム３の回転軸３Ａを軸支し、左右の仕切板10・11間に巻装用ドラム３を架設状態に設けている。
【００２４】
尚、この装置本体１の建築物の高所への取付構造は、適宜設計変更可能な事項であるので、詳しく説明することや図示することは省略する。
【００２５】
また、この巻装用ドラム３に巻装される降下用ワイヤー２の巻き出し先端には、避難者Ｈの人体あるいは着用している衣服に継合するための継合具９を設けている。図示した継合具９は、人体の上半身を抱持するタイプの継合具９（図４参照。）を示したが、例えば、スボン等のベルト輪に継合するカラビナタイプの継合具９やその他の構成の継合具を採用しても良い。
【００２６】
図中符号16は、装置本体１よりの降下用ワイヤー２の巻き出し部であって且つ降下用ワイヤー２の巻き出し・巻き戻りをガイドするガイドローラである。
【００２７】
また、本実施例では、この巻装用ドラム３の回転軸３Ａを昇降移動可能に軸支し、この巻装用ドラム３の回転軸３Ａを上昇方向へ付勢する軸付勢機構４を設けている。
【００２８】
具体的には、前記左右の仕切板10・11の軸受孔10Ａ・11Ａを上下方向に長さを有する長孔に形成することで、この長孔10Ａ・11Ａに許容される範囲内で巻装用ドラム３が昇降移動可能となる構成としている。
【００２９】
また、巻装用ドラム３の回転軸３Ａの両端部は、左区画部１Ａと右区画部１Ｃ内に存するように構成し、左区画部１Ａ内と右区画部１Ｃ内にこの回転軸３Ａの両端部を軸支する軸受部材12を設け、この各軸受部材12を、抗張弾性を有するコイルバネ４Ａにより左区画部１Ａの上部と右区画部１Ｃの上部とから吊り下げた構成としている。
【００３０】
即ち、このコイルバネ４Ａによって軸受部材12は常に上昇方向へ付勢され（図１〜図３の状態）、これにより巻装用ドラム３の回転軸３Ａが常に上昇方向へ付勢される前記軸付勢機構４を構成し、前記降下用ワイヤー２に避難者Ｈを継合することで巻装用ドラム３に避難者Ｈの体重による下向きの荷重が加わると、この軸付勢機構４（コイルバネ４Ａ）の付勢力に抗して巻装用ドラム３の回転軸３Ａが下降移動するように構成している（図４，図５参照。）。
【００３１】
また、本実施例では、軸付勢機構４の付勢力に抗して巻装用ドラム３の回転軸３Ａが下降移動した際にこの回転軸３Ａと接続する抵抗付与機構５を前記装置本体１に設けて、前記降下用ワイヤー２で避難者Ｈが降下中はこの抵抗付与機構５により巻装用ドラム３の回転軸３Ａに回転抵抗が付与されて降下用ワイヤー２の巻き出し速度が減速するように構成している。
【００３２】
具体的には、巻装用ドラム３の回転軸３Ａに歯車７を設けると共に、前記抵抗付与機構５に接続歯車８を設け、前記巻装用ドラム３の下降移動に伴う回転軸３Ａの下降移動により、この回転軸３Ａの歯車７が抵抗付与機構５の接続歯車８に噛合して、この抵抗付与機構５による抵抗が接続歯車８，歯車７を介して回転軸３Ａに伝達付与される構成としている。
【００３３】
更に詳しくは、巻装用ドラム３の回転軸３Ａの前記右区画部１Ｃに存する一端部であって、前記軸受部材12と右側の仕切板11との間の位置に前記歯車７を付設している。
【００３４】
一方、右区画部１Ｃ内の前記歯車７より下方位置に、取付軸５Ｂを軸支し、この取付軸５Ｂに前記接続歯車８を付設して、前記軸付勢機構４の付勢力に抗して前記歯車７が下降移動すると接続歯車８に噛合するように構成している（図４，図５参照。）。
【００３５】
また、取付軸５Ｂには捩りバネ５Ａを装着し、この捩りバネ５Ａ（トーションバネ５Ａ）は、前記巻装用ドラム３から降下用ワイヤー２が巻き出しされる際に回転軸３Ａの歯車７と噛合している接続歯車８の回転方向に対してのみ捩れてこの方向の回転作動に抵抗を付与する構成としている。図中符号17，18は、捩りバネ５Ａの両端部を係止するための係止凸部である。
【００３６】
即ち、巻装用ドラム３に下向きの荷重が加わった状態で降下用ワイヤー２が巻き出される際には、捩りバネ５Ａによってこの降下用ワイヤー２の巻き出しに抵抗が付与される抵抗付与機構５を構成している。
【００３７】
尚、この抵抗付与機構５を構成する捩りバネ５Ａは、避難者Ｈが、恐怖感を感じにくい速度で降下できる降下速度を実現する弾性度を有するものを採用することが好ましい。
【００３８】
また、本実施例では、前記装置本体１に巻装用ドラム３の巻き戻し付勢機構６を設けて、巻き出された降下用ワイヤー２が装置本体１へと巻き戻るように構成している。
【００３９】
具体的には、巻装用ドラム３から降下用ワイヤー２が巻き出されると同時にゼンマイバネ６Ａが巻かれるように構成し、この巻かれたゼンマイバネ６Ａの復帰力により巻装用ドラム３の回転軸３Ａに巻き戻し付勢力が付与される前記巻き戻し付勢機構６を構成している。
【００４０】
更に詳しくは、装置本体１の左区画部１Ａには、軸受部材12を左右二体並設状態に設け、この左区画部１Ａ内で並設する二体の軸受部材12は、上下方向に長さを有する構成として回転軸３Ａの左端部はこの左区画部１Ａ内の二体の軸受部材12の双方の上側部に軸支し、この回転軸３Ａ左端部の二体の軸受部材12間に伝達歯車14を付設している。
【００４１】
一方、この左区画部１Ａ内の二体の軸受部材12の双方の下側部間に可動軸13を設け、この可動軸13の二体の軸受部材12間に受歯車15を付設して、この伝達歯車14と受歯車15とを噛合状態に設けている。
【００４２】
また、前記軸付勢機構４に抗して回転軸３Ａが下動した際、左区画部１Ａ内の双方の軸受部材12と共にこの伝達歯車14，受歯車15も下動する構成として、この伝達歯車14と受歯車15は常に噛合状態を維持するように設けている。
【００４３】
また、この受歯車15を備えた可動軸13は、左側の仕切板10の前記軸受孔10Ａの下方に形成した軸孔10Ｂに軸支し、この軸孔10Ｂを上下方向に長さを有する長孔に形成することで、前記軸付勢機構４に抗する可動軸13の下動（可動軸13の昇降移動）を許容する構成としている。
【００４４】
また、左区画部１Ａ内の二体の軸受部材12のうち、図１，図２，図５において左側の軸受部材12内にはゼンマイバネ６Ａを内装し、このゼンマイバネ６Ａを可動軸13に連結して、巻装用ドラム３から降下用ワイヤー２が巻き出されると、この際の巻装用ドラム３の回転が回転軸３Ａ，伝達歯車14，受歯車15を介して可動軸13に伝達され、この可動軸13の回転によってゼンマイバネ６Ａが巻かれる構成とし、巻き出した降下用ワイヤー２を放すことでゼンマイバネ６Ａの復帰弾性により伝達歯車14，受歯車15を介して巻装用ドラム３（回転軸３Ａ）が降下用ワイヤー２を巻き戻す方向に回転する巻き戻し付勢機構６を構成している。
【００４５】
従って、避難者Ｈが降下避難後に降下用ワイヤー２を避難者Ｈより継合解除すると、この巻き戻し付勢機構６（ゼンマイバネ６Ａ）により巻装用ドラム３が自動的に巻き戻り回転して降下用ワイヤー２が装置本体１（巻装用ドラム３）へと巻き戻るように構成している。
【００４６】
また、この巻き戻し付勢機構６は、降下用ワイヤー２の巻き出しに際して抵抗を生じることになるので、この巻き出し付勢機構６は前記抵抗付与機構５の補助的な機能をも果たすことになる構成としている。
【００４７】
尚、この巻き出し付勢機構６を構成するゼンマイバネ６Ａは、巻き出した降下用ワイヤー２が危険なほど勢い良く巻き戻るような強力な弾性度を有するものでなく、降下用ワイヤー２が安全な速度で巻き戻る弾性度を有するものを採用することが好ましい。
【実施例２】
【００４８】
本発明の具体的な実施例２について図６に基づいて説明する。
【００４９】
本実施例は、前記実施例１において、前記抵抗付与機構５に抵抗度合いの強弱を調整機能を持たせた場合である。
【００５０】
具体的には、前記取付軸５Ｂの図面右側の端部外面に雄螺子19を形成する一方、前記捩りバネ５Ａの図面右側の端部内面に図示省略の雌螺子を形成し、この雄螺子19と雌螺子とを螺合して、取付軸５Ｂの回動螺動操作により捩りバネ５Ａ端部の弾性度を調整し得るように構成している。
【００５１】
また、取付軸５Ｂの図面右側端部を、装置本体１の右側面より露出するように設け、この露出する取付軸５Ｂの端部にドライバーなどの工具にて回動操作可能とする図示省略の工具装着部を形成している。
【００５２】
従って、本実施例の場合、単に取付軸５Ｂを回動螺動操作するだけで、避難者Ｈの体重に応じて抵抗付与機構５の抵抗度合い、即ち避難者Ｈの降下速度を調整変更できる。
【実施例３】
【００５３】
本発明の具体的な実施例３について図７〜図９に基づいて説明する。
【００５４】
本実施例は、前記実施例１において、前記巻装用ドラム３の回転軸３Ａが下降移動した際にこの回転軸３Ａと接続する前記抵抗付与機構５を前記装置本体１に複数設けた場合である。
【００５５】
具体的には、回転軸３Ａの一端部に接続する抵抗付与機構５と、回転軸３Ａの他端部に接続する抵抗付与機構５との二つの抵抗付与機構５を設けている。
【００５６】
更に詳しくは、本実施例では、前記左区画部１Ａを、仕切板21で左右に仕切ることにより第一左区画部１Ａ（図示左側）と第二左区画部１Ａ'（右側）とを形成して、この第一左区画部１Ａに抵抗付与機構５を追加した構成としている。
【００５７】
また、回転軸３Ａの他端部（図面左端部）を、仕切板21に形成した軸受孔21Ａを介して第一左区画部１Ａ内にまで延設して、この第一左区画部１Ａ内に存する回転軸３Ａの他端部に歯車７を付設し、前記可動軸13の左端部も、仕切板21に形成した軸受孔21Ｂを介して第一左区画部１Ａ内にまで延設して、この第一左区画部１Ａ内に存する可動軸13の左端部に受歯車22を付設して、この受歯車22と前記歯車７とを噛合させている。
【００５８】
また、軸受孔21Ａ・21Ｂは、いずれも上下方向に長さを有する長孔に形成して、前記軸付勢機構４の付勢力に抗して前記巻装用ドラム３が下降移動すると、この第一左区画部１Ａ内の歯車７と受歯車22も下降移動する構成としている。
【００５９】
また、この第一左区画部１Ａ内の受歯車22より下方位置に、取付軸５Ｂを軸支し、この取付軸５Ｂに接続歯車８を付設して、前記軸付勢機構４の付勢力に抗して第一左区画部１Ａ内の歯車７と受歯車22も下降移動すると、受歯車22が接続歯車８に噛合する構成としている。
【００６０】
即ち、この第一左区画部１Ａ内では、前記巻装用ドラム３の下降移動に伴う回転軸３Ａの下降移動により、この回転軸３Ａの歯車７が受歯車22を介して抵抗付与機構５の接続歯車８に噛合接続する構成としている。
【００６１】
また、本実施例の抵抗付与機構５は、左右の取付軸５Ｂの夫々にコイルバネ５Ｃを被嵌し、この各取付軸５Ｂは中程より外側部位を螺子杆に形成し、この取付軸５Ｂの螺子杆に鍔付ナット５Ｄを螺着してこの鍔付ナット５Ｄと前記接続歯車８との間にコイルバネ５Ｃを挟持保持した構成とし、このコイルバネ５Ｃが接続歯車８に圧接することで、各接続歯車８の回転に抵抗を生じる構成としている。尚、鍔付ナット５Ｄでなく、座金とナットを用いる構成でも良い。
【００６２】
また、この鍔付ナット５Ｄの回動調整によりコイルバネ５Ｃの接続歯車８及び第二接続歯車８Ｂへの圧接度合いの強弱を調整することができ、これにより避難者Ｈの体重や家族構成等に応じて抵抗度合い、即ち降下速度を調整変更できるようにしている。
【００６３】
このように構成した本実施例によれば、抵抗付与機構５を装置本体１の左右二箇所に備えたため、万一いずれか一方の歯車７が浮くようなことがあっても、他方の歯車７が噛合していることで、降下抵抗を生じるために抵抗付与機構５の作動が確実となり、一層安全性の高い構成となる。
【００６４】
また、本実施例では、前記ガイドローラ16に、前記巻装用ドラム３へ降下用ワイヤー２が巻き戻る際に、一箇所にだけ集中的に降下用ワイヤー２が巻き取られることなく、略均等に巻き取りされる手段を設けている。
【００６５】
具体的には、対設する二体のガイドローラ16の夫々の表面に螺旋溝23を形成し、この螺旋溝23に降下用ワイヤー２を沿わせた構成で、降下用ワイヤー２の巻き出し・巻き戻り時には、この螺旋溝23によって降下用ワイヤー２が右往左往するように誘導されて巻装用ドラム３に略均等に巻き取りされる構成としている。
【００６６】
その他の構成は、前記実施例１と同様である。
【実施例４】
【００６７】
本発明の具体的な実施例４について図１０，図１１に基づいて説明する。
【００６８】
本実施例は、前記実施例１において、前記巻き戻し付勢機構６に、降下用ワイヤー２が非常に長く巻き出ることによるゼンマイバネ６Ａの巻き過ぎて破損することを防止すべく、ゼンマイバネ６Ａの巻き速度を減速する減速手段を設けた場合である。
【００６９】
具体的には、本実施例の装置本体１は、左区画部１Ａと中央区画部１Ｂと右区画部１Ｃの三区画部を形成し、左区画部１Ａと右区画部１Ｃとに前記実施例３と同様の構成の抵抗付与機構５を設け、中央区画部１Ｂに、巻装用ドラム３と、減速手段を備えた巻き戻し付勢機構６を設けた構成としている。
【００７０】
更に詳しくは、巻装用ドラム３の回転軸３Ａの他端部（図面左端部）は、仕切板10に形成した軸受孔10Ａ（長孔）を介して左区画部１Ａ内にまで延設して、この左区画部１Ａ内に存する回転軸３Ａの他端部に歯車７を付設すると共に、この回転軸３Ａの他端部を、前記軸付勢機構４（コイルバネ４Ａ）によって吊り下げられた軸受部材12に軸支している。
【００７１】
一方、回転軸３Ａの一端部は、中央区画部１Ｂ内に軸付勢機構４（コイルバネ４Ａ）によって吊り下げられたギアボックス24内に配設した構成としている。図中符号25は軸付勢機構４を介して行われるギアボックス24の上下移動をガイドする用ガイド体である。
【００７２】
また、このギアボックス24は、内部を仕切壁24Ａによって左室24Ｂと右室24Ｃに仕切った構成とし、このギアボックス24の上部に、前記回転軸３Ａの一端部が左右方向に貫通するように軸支している。
【００７３】
また、この回転軸３Ａの一端部の、ギアボックス24内の左室24Ｂ内に存する部位には伝達歯車14を付設している。
【００７４】
また、このギアボックス24の中程に、歯車受軸26を左右方向に貫通するように軸支し、この歯車受軸26の、左室24Ｂ内に存する部位には減速歯車20を二枚並設状態に付設し、左側の減速歯車20は前記伝達歯車14に噛合するように設けている。
【００７５】
また、このギアボックス24の下部に、可動軸13を左右方向に貫通するように軸支し、この可動軸13の、左室24Ｂ内に存する部位には受歯車15を付設して、この受歯車15は前記右側の減速歯車20に噛合するように設けている。
【００７６】
また、このギアボックス24の右室24Ｃ内にゼンマイバネ６Ａを配設すると共に、この可動軸13の、右室24Ｃに存する部位にゼンマイバネ６Ａを連結している。
【００７７】
従って、巻装用ドラム３から降下用ワイヤー２が巻き出されると、この際の巻装用ドラム３の回転が回転軸３Ａ，伝達歯車14，減速歯車20，受歯車15を介して可動軸13に伝達され、この可動軸13の回転によってゼンマイバネ６Ａが巻かれる構成とし、巻き出した降下用ワイヤー２を放すことでゼンマイバネ６Ａの復帰弾性により伝達歯車14，減速歯車20，受歯車15を介して巻装用ドラム３（回転軸３Ａ）が降下用ワイヤー２を巻き戻す方向に付勢する巻き戻し付勢機構６を構成している。
【００７８】
また、巻装用ドラム３から降下用ワイヤー２が巻き出される際には、前記減速歯車20によりゼンマイバネ６Ａの巻かれる速度が減速（巻かれる量が少なくなる）ように、各歯車14・20・15の歯車比を設定して前記減速手段を構成し、ゼンマイバネ６Ａの巻かれすぎによる破損を防止している。
【００７９】
また、本実施例では、前記可動軸13の一端部（図示右端部）を延設して、この可動軸13の一端部を仕切板11に形成した軸受孔11Ａ（長孔）を介して右区画部１Ｃ内に配設し、この右区画部１Ｃ内に存する可動軸13の一端部に歯車７を付設している。
【００８０】
また、この右区画部１Ｃ内には、この歯車７の下方に前記接続歯車８を備えた前記抵抗付与機構５を設けた構成としている。
【００８１】
即ち、本実施例では、巻装用ドラム３の回転軸３Ａの一端側については、この回転軸３Ａに直接歯車７を設けるのではなく、この回転軸３Ａの回転動に（伝達歯車14，減速歯車20，受歯車15を介して）連動する可動軸13に歯車７を設け、この可動軸13の歯車７が、巻装用ドラム３（回転軸３Ａ）の下降移動に伴って抵抗付与機構５の接続歯車８に噛合接続して、この抵抗付与機構５による抵抗が接続歯車８，歯車７（及び受歯車15，減速歯車20，伝達歯車14を）を介して回転軸３Ａに伝達付与される構成としている。
【００８２】
尚、請求項２中の「前記巻装用ドラム３の回転軸３Ａに歯車７を設け」なる記載は、回転軸３Ａに直接歯車７を設ける構成だけを意味するのでなく、本実施例のように回転軸３Ａの回転動に連動する軸（可動軸13）に歯車７を設けるような構成も含む意味合いで用いているものである。
【００８３】
また、本実施例も、前記実施例３と同様に、前記ガイドローラ16に、前記巻装用ドラム３へ降下用ワイヤー２が巻き戻る際に、一箇所にだけ集中的に降下用ワイヤー２が巻き取られることなく、略均等に巻き取りされる手段を設けている。
【００８４】
また、本実施例では、右区画部１Ｃ内には軸付勢機構４と軸受部材12とを設けていない場合を示しているが、前記実施例１と同様に、この右区画部１Ｃ内で可動軸13を軸受部材12で軸支し、この軸受部材12を軸付勢機構４によって吊り下げする構成としても良い。
【００８５】
その他の構成は、前記実施例１と同様である。
【００８６】
尚、本発明は、実施例１〜実施例４に限られるものではなく、軸付勢機構４，抵抗付与機構５，巻き戻し付勢機構６の具体的構成や、他の各構成要件の具体的構成は適宜設計し得るものである。
【図面の簡単な説明】
【００８７】
【図１】実施例１を示す説明切欠斜視図である。
【図２】実施例１を示す説明切欠正面図である。
【図３】図２の説明切欠側面図である。
【図４】実施例１の降下用ワイヤーに避難者を継合して避難者が降下する様子を示した説明切欠側面図である。
【図５】実施例１の避難者降下時における本装置の内部構造を示す説明切欠正面図である。
【図６】実施例２の要部を示す部分拡大説明図である。
【図７】実施例３を示す説明切欠正面図である。
【図８】実施例３を示す一部を切欠した説明斜視図である。
【図９】実施例３の抵抗付与機構を示す部分拡大説明図である。
【図１０】実施例４を示す説明切欠正面図である。
【図１１】実施例４を示す説明切欠斜視図である。
【符号の説明】
【００８８】
１  装置本体
２  降下用ワイヤー
３  巻装用ドラム
３Ａ  回転軸
４  軸付勢機構
５  抵抗付与機構
６  巻き戻し付勢機構
６Ａ  ゼンマイバネ
７  歯車
８  接続歯車
Ｈ  避難者
【図１】
2006341079.tif 000003
【図２】
2006341079.tif 000004
【図３】
2006341079.tif 000005
【図４】
2006341079.tif 000006
【図５】
2006341079.tif 000007
【図６】
2006341079.tif 000008
【図７】
2006341079.tif 000009
【図８】
2006341079.tif 000010
【図９】
2006341079.tif 000011
【図１０】
2006341079.tif 000012
【図１１】
2006341079.tif 000013